(57)【要約】【課題】受信装置において、不要な希望波有無の確認動作を極力排除する。【解決手段】受信信号強度と所定の閾値とを比較する比較手段と（ステップ２４）、受信信号に基づいて希望波の有無を判定する判定手段と（ステップ３０）を備え、定期的に（ステップ２３）比較手段による比較を行い、これにより受信信号強度が前記閾値以上であるとの比較結果を得たときに判定手段による判定を行い、これにより希望波が存在するとの判定結果を得たときに希望波の受信動作を開始する（ステップ３３）受信装置において、判定手段による判定により希望波が存在しないとの判定結果を得たとき、前記閾値がその時点での受信信号強度よりも所定量だけ大きくなるように前記閾値又は受信利得を変更する（ステップ３２）ようにする。【選択図】図２
2010087674.tif 000002
【特許請求の範囲】
【請求項１】
受信信号強度と所定の閾値とを比較する比較手段と、
受信信号に基づいて希望波の有無を判定する判定手段とを備え、
定期的に前記比較手段による比較を行い、これにより受信信号強度が前記閾値以上であるとの比較結果を得たときに前記判定手段による判定を行い、これにより希望波が存在するとの判定結果を得たときに希望波の受信動作を開始する受信装置において、
前記判定手段による判定により希望波が存在しないとの判定結果を得たとき、前記閾値がその時点での受信信号強度よりも所定量だけ大きくなるように前記閾値又は受信利得を変更することを特徴とする受信装置。
【請求項２】
前記閾値又は受信利得の変更後、前記判定手段による希望波が存在しないとの判定結果が連続して所定の回数得られたとき、前記閾値又は受信利得を元の値に戻すことを特徴とする請求項１に記載の受信装置。
【請求項３】
前記閾値は、スケルチの開閉を制御するために受信信号強度と比較されるスケルチレベルであることを特徴とする請求項１又は２に記載の受信装置。
【請求項４】
前記判定手段による判定に際し、スケルチが開放されることを特徴とする請求項１〜３のいずれか１項に記載の受信装置。
【請求項５】
受信信号強度と所定の閾値とを比較する比較手段と、
受信信号に基づいて希望波の有無を判定する判定手段とを備えた受信装置において、
定期的に前記比較手段による比較を行い、これにより受信信号強度が前記閾値以上であるとの比較結果を得たときに前記判定手段による判定を行い、これにより希望波が存在するとの判定結果を得たときに希望波の受信動作を開始する受信方法であって、
前記判定手段による判定により希望波が存在しないとの判定結果を得たとき、前記閾値がその時点での受信信号強度よりも所定量だけ大きくなるように前記閾値又は受信利得を変更することを特徴とする受信方法。
【発明の詳細な説明】
【技術分野】
【０００１】
本発明は、定期的に希望波の有無を判定し、希望波が存在すると判定した場合に受信動作を行う受信装置及び受信方法に関する。
【背景技術】
【０００２】
図７は従来の受信機の構成を示すブロック図である。同図に示すように、この受信機９は、アンテナ２からの受信信号に基づき、第２中間周波信号を出力する受信部１００、受信部１００からの中間周波信号に基づき、復調処理を行う復調処理部２００、受信機１の各部を制御するＣＰＵ３００、並びにＣＰＵ３００、受信部１００、及び復調処理部２００に対してそれぞれ電源電圧を供給するためのＡＶＲ（自動電圧調整器）４０１〜４０３を備える。
【０００３】
受信部１００は、アンテナ２からの高周波信号に基づいて第２中間周波信号を出力する中間周波出力部１０１、第２中間周波信号に基づいてＲＳＳＩ値（受信信号強度）を出力するＲＳＳＩ変換部１０２、及び該ＲＳＳＩ値に基づいてスケルチの開閉を制御するスケルチ回路１０３、及びスケルチ回路１０３においてＲＳＳＩ値と比較される閾値（以下、「スケルチレベル」という。）を設定する閾値設定回路１０４を備える。復調処理部２００は、受信部１００からの第２中間周波信号に基づき、ＣＰＵ３００に対し、衛星ロックがなされた旨を示す信号Ｓａｔ  Ｌｏｃｋや復調処理により得られた復調データを供給する。
【０００４】
図３（ａ）、図４（ａ）及び図５（ａ）はこの受信機９の動作を示すタイミングチャートである。図中の７０１は信号検出動作により消費される電力、７０２は復調処理部２００における希望波有無の確認動作により消費される電力、７０３は希望波を受信する受信動作により消費される電力である。信号検出動作は、ＲＳＳＩ値がスケルチレベルの設定値以上かどうかを検出する動作である。信号検出動作に際しては、受信部１００に対して電力を供給するが、復調処理部２００には電力を供給しない。希望波有無の確認動作や受信動作に際しては、復調処理部２００に対しても電力を供給する。したがって、電力７０１よりも電力７０２の方が大きい。Ｔ１は衛星の通過期間、Ｔ２は受信機１が受信動作を行っている期間、ｔ１〜ｔ１１は所定の間隔で定期的に信号検出動作が行われる時点である。
【０００５】
なお、信号検出動作で使用されるスケルチレベルとしては、その値を固定する閾値レベル固定方式の場合、生産過程の調整時に、信号無入力時のＲＳＳＩ値よりも少し大きな値が、閾値設定回路１０４により固定値として設定される。また、閾値レベル半固定方式の場合には、受信動作時に、手動操作により、閾値設定回路１０４を介して、外来ノイズなどによるキャリアの誤検出が生じない最適な値に設定される。
【０００６】
図３（ａ）、図４（ａ）及び図５（ａ）に示すように、受信機９においては、各時点ｔ１、ｔ２・・・において定期的に信号検出動作（７０１）が行われる。この間に、目的の信号又は外来ノイズが入力されたことに起因して、信号検出動作によりＲＳＳＩ値がスケルチレベル以上であると判定された場合には、スケルチが開かれ、ＣＰＵ３００によりＡＶＲ４０３がオン状態とされ、復調処理部２００により希望波有無の確認動作（７０２）が行われる。この結果、希望波が存在することが確認された場合には受信動作（７０３）が開始され、存在しないことが確認された場合にはＣＰＵ３００によりＡＶＲ４０３がオフ状態とされ、希望波有無の確認動作は終了する。
【０００７】
なお、特許文献１には、スケルチの開閉が誤って行われるのを防止する技術が開示されている。この技術においては、検波信号を濾波して複数の帯域のノイズ成分を抽出し、各ノイズ成分の整流電圧と、所定の閾値との比較結果に基づいてスケルチの開閉を制御するようにしている。
【０００８】
【特許文献１】特開２００４−５６１８３号公報
【発明の開示】
【発明が解決しようとする課題】
【０００９】
しかしながら、受信機の動作環境に応じ、外来ノイズの入力レベルは大小様々である。したがって、上述図７の従来技術によれば、受信機が外来ノイズの多い動作環境に設置された場合、外来ノイズの入力レベルの変動により、スケルチの誤開放が頻発する。また、周囲の温度が変化し、受信機内部の低雑音増幅部の利得やＲＳＳＩ変換利得などの温度特性によりＲＳＳＩレベルのノイズフロアが高くなると、スケルチが誤開放する。スケルチ回路の誤開放は、希望波有無の確認動作（７０２）が行われるが、受信動作（７０３）には移行しないことを意味する。信号検出動作（７０１）においては消費電力は低いが、受信動作（７０３）及び希望波有無の確認動作（７０２）においては消費電力が大きいので、希望波有無の確認動作（７０２）の頻度が多いと、無駄な電力の消費量が増大することになる。電池で駆動する受信機の場合には、電池の寿命が短くなる。
【００１０】
一方、ＲＳＳＩ変換利得の温度特性により、受信機の信号入力レベルに対するＲＳＳＩレベルの変換利得が小さくなった場合には、所定の入力レベルの希望波を受信している場合でも、スケルチが開かなくなる。つまり、受信動作（７０３）に移行する最小受信入力レベルが高くなる。
【００１１】
本発明の目的は、このような従来技術の問題点に鑑み、不要な希望波有無の確認動作を極力排除することにある。
【課題を解決するための手段】
【００１２】
この目的を達成するため、第１の発明に係る受信装置は、受信信号強度と所定の閾値とを比較する比較手段と、受信信号に基づいて希望波の有無を判定する判定手段とを備え、定期的に前記比較手段による比較を行い、これにより受信信号強度が前記閾値以上であるとの比較結果を得たときに前記判定手段による判定を行い、これにより希望波が存在するとの判定結果を得たときに希望波の受信動作を開始する受信装置において、前記判定手段による判定により希望波が存在しないとの判定結果を得たとき、前記閾値がその時点での受信信号強度よりも所定量だけ大きくなるように前記閾値又は受信利得を変更することを特徴とする。
【００１３】
第２の発明に係る受信装置は、第１発明において、前記閾値又は受信利得の変更後、前記判定手段による希望波が存在しないとの判定結果が連続して所定の回数得られたとき、前記閾値又は受信利得を元の値に戻すことを特徴とする。
【００１４】
第３の発明に係る受信装置は、第１又は第２発明において、前記閾値は、スケルチの開閉を制御するために受信信号強度と比較されるスケルチレベルであることを特徴とする。
【００１５】
第４の発明に係る受信装置は、第１〜第３のいずれかの発明において、前記判定手段による判定に際し、スケルチが開放されることを特徴とする。
【００１６】
第５の発明に係る受信方法は、受信信号強度と所定の閾値とを比較する比較手段と、受信信号に基づいて希望波の有無を判定する判定手段とを備えた受信装置において、定期的に前記比較手段による比較を行い、これにより受信信号強度が前記閾値以上であるとの比較結果を得たときに前記判定手段による判定を行い、これにより希望波が存在するとの判定結果を得たときに希望波の受信動作を開始する受信方法であって、前記判定手段による判定により希望波が存在しないとの判定結果を得たとき、前記閾値がその時点での受信信号強度よりも所定量だけ大きくなるように前記閾値又は受信利得を変更することを特徴とする。
【発明の効果】
【００１７】
本発明によれば、不要な希望波有無の確認動作を極力排除することができる。
【発明を実施するための最良の形態】
【００１８】
図１は本発明の一実施形態に係る受信機の構成を示すブロック図である。同図に示すように、この受信機１は、アンテナ２からの受信信号に基づき、第２中間周波信号を出力する受信部１００、受信部１００からの第２中間周波信号に基づき、復調処理を行う復調処理部２００、受信機１の各部を制御するＣＰＵ３００、並びにＣＰＵ３００、受信部１００、及び復調処理部２００に対してそれぞれ電源電圧を供給するためのＡＶＲ（自動電圧調整器）４０１〜４０３を備える。
【００１９】
受信部１００は、アンテナ２からの高周波信号に基づいて第２中間周波信号を出力する中間周波出力部１０１、第２中間周波信号に基づいてＲＳＳＩ値（受信信号強度）を出力するＲＳＳＩ変換部１０２、及び該ＲＳＳＩ値に基づいてスケルチの開閉を制御するスケルチ回路１０３を備える。中間周波出力部１０１は、アンテナ２から入力された高周波信号を増幅する低雑音増幅部、低雑音増幅部の出力から必要な帯域を抽出する帯域制限部、及び帯域制限部の出力信号に対して周波数変換を２回行い、第２中間周波信号を出力する周波数変換部を備える。
【００２０】
復調処理部２００は受信部１００からの第２中間周波信号に基づき、ＣＰＵ３００に対し、衛星ロックがなされた旨を示す信号Ｓａｔ  Ｌｏｃｋや復調処理により得られた復調データを供給する。ＣＰＵ３００はスケルチ回路１０３におけるスケルチレベルを設定するためのＤＡ変換器３０１を備える。ＣＰＵ３００は、制御信号ＡＶＲ２  ｃｏｎｔ及びＡＶＲ３  ｃｏｎｔにより、それぞれＡＶＲ４０２及び４０３のオン・オフを制御する。
【００２１】
図２は受信機１における希望波の受信動作が終了するまでの動作を示すフローチャートである。この処理は起動時又は希望波の受信動作の終了後に開始される。処理を開始すると、受信機１はまず、ステップ２１において、スケルチ回路１０３におけるスケルチレベルをデフォルト値に設定する。デフォルト値としては、ＲＳＳＩ値よりも必ず小さくなるような値が用いられる。次に、ステップ２２においてカウンタＣを０に設定する。カウンタＣは、信号検出動作が、その直後の希望波有無の確認動作を伴うことなく、連続して行われた回数をカウントするためのものである。
【００２２】
次に、ステップ２３において、信号検出動作を行うべきタイミングの到来を待機する。このタイミングは、所定の間隔で定期的に到来する。該タイミングが到来したと判定した場合には、ステップ２４へ進み、信号検出動作を行う。すなわち、スケルチ回路１０３により、ＲＳＳＩ変換部１０２からのＲＳＳＩ値がスケルチレベル以上であるかどうかを判定する。ＲＳＳＩ値がスケルチレベル以上ではないと判定した場合には、ステップ２５において、カウンタＣが所定の値Ｎに等しいか否かを判定する。等しくはないと判定した場合にはステップ２６においてカウンタＣをインクリメントし、ステップ２３へ戻る。等しいと判定した場合にはステップ２７においてスケルチレベルをデフォルト値に設定し、ステップ２３へ戻る。
【００２３】
ステップ２４における信号検出動作によりＲＳＳＩ値がスケルチレベル以上であると判定されたた場合にはステップ２８へ進んでスケルチを開放し、ステップ２９においてカウンタＣを０にリセットする。さらに、ＡＶＲ４０３をオン状態とし、ステップ３０において、復調処理部２００により、希望波の有無を確認する。この結果、希望波が存在しないことを確認した場合には、ステップ３１へ進み、スケルチを閉じ、ＡＶＲ４０３をオフ状態として、希望波有無の確認動作を停止させる。次にステップ３２において、スケルチレベルを、今回の信号検出動作におけるＲＳＳＩ値よりも所定値だけ大きい値に設定する。すなわち、ＲＳＳＩ値に基づき、スケルチレベルを最適化する。その後、ステップ２３へ戻る。
【００２４】
ステップ３０において希望波が存在することを確認した場合にはステップ３３へ進み、受信動作を開始する。この後、ステップ３４において、希望波が無くなったかどうかを監視する。希望波が無くなった場合には、ステップ３５において、受信動作を停止する。すなわちＡＶＲ４０３をオフ状態とし、復調処理部２００における復調動作を停止させる。この後、図２の処理を終了し、再度、最初から繰り返す。このように、本実施形態においては、信号検出動作（ステップ２４）で使用するスケルチレベルを、使用状況により、ＲＳＳＩ値及び真の希望波の有無に基づいて、ダイナミックに設定・変更するようにしている（ステップ２７、３２）。
【００２５】
図３は受信機１の動作の一例を、図７の従来の受信機９の場合と比較して示すタイミングチャートである。同図（ａ）が従来の受信機、同図（ｂ）が受信機１のタイミングチャートである。各チャートは、各受信機の動作を、受信機の見通し範囲を通過する衛星からの同一の希望波を受信する場合について示している。図中の７０１は信号検出動作（ステップ２４）により消費される電力、７０２は希望波有の無確認動作（ステップ３０）により消費される電力、７０３は受信動作により消費される電力である。各電力７０１〜７０３の振幅（高さ）はそれぞれの電力値を表している。Ｔ１は衛星の通過期間、Ｔ２は受信機１が受信動作を行っている受信期間（ステップ３３〜３５）、ｔ１〜ｔ４は定期的に信号検出動作（ステップ２４）が行われる時点である。
【００２６】
同図（ｂ）の例において、図２の処理の開始後、１回目の信号検出動作（ステップ２４）の時点ｔ１では、スケルチレベルが、希望波の信号入力が無い状態でも必ずスケルチが開放するようなデフォルト値Ｌ１に設定されているので（ステップ２１）、スケルチが開放され（ステップ２８）、希望波有無の確認動作が行われる（ステップ３０）。これにより、電力７０１及び７０２が消費される。希望波有無の確認の結果、希望波の存在が確認されないので、スケルチが閉塞され（ステップ３１）、スケルチレベルが、今回のＲＳＳＩレベルより少し大きい値Ｌ２に設定される（ステップ３２）。
【００２７】
次の、信号検出動作（ステップ２４）の時点ｔ２では、スケルチレベルが値Ｌ２に設定されおり、かつＲＳＳＩレベルもほぼ変化していないので、希望波有無の確認動作は行われず、次の信号検出動作の時点ｔ３の到来を待つ。時点ｔ３においても同様に、希望波有無の確認動作は行われない。その後、衛星通過期間Ｔ１に入ると、衛星からの受信信号に基づいてＲＳＳＩ値が上昇し始める。そして、次の信号検出動作時点ｔ４においてはスケルチレベルの値Ｌ２よりもＲＳＳＩ値の方が高くなっているので、スケルチが開放され（ステップ２８）、希望波有無の確認動作が行われる（ステップ３０）。この結果、希望波の存在が確認されるので、受信動作が開始される（ステップ３３）。この後、希望波が存在しなくなったことが検出されると（ステップ３４）、受信動作が停止され（ステップ３５）、スケルチレベルがデフォルト値Ｌ１に設定される（ステップ２１）。
【００２８】
同図（ａ）の従来の受信機９の場合には、スケルチレベルがすべての期間において一定のレベルであるため、各信号検出動作時点ｔ１〜ｔ４のすべてにおいて希望波有無の確認動作が行われる。これに対し、本実施形態では、時点ｔ１において希望波が存在しないと確認された場合にはスケルチレベルをＲＳＳＩレベルより少し大きい値Ｌ２まで上げるようにしているので、希望波有無の確認動作が不要である各信号検出動作時点ｔ２及びｔ３においては、希望波有無の確認動作が省略される。したがって、従来の受信機では信号検出動作時点ｔ２及びｔ３においても消費される希望波有無の確認動作のための電力を、本実施形態においては節約することができる。
【００２９】
図４は受信機１の動作の別の例を、従来の受信機９の場合と比較して示すタイミングチャートである。同図（ａ）が従来の受信機、同図（ｂ）が受信機１のタイミングチャートである。各チャートにおいては、希望波が存在せず、スケルチレベルよりもＲＳＳＩ値に含まれるノイズフロアのレベルの方が大きい場合における各受信機の動作を示している。ただし、この例において、図２のステップ２５においてカウンタＣと比較されるＮの値は２であるものとする。
【００３０】
図４（ｂ）の例において、図２の処理の開始後、１回目の信号検出動作（ステップ２４）の時点ｔ１では、スケルチレベルが、希望波の信号入力が無い状態でも必ずスケルチが開放するようなデフォルト値Ｌ１に設定されているので（ステップ２１）、スケルチが開放され（ステップ２８）、希望波の有無の確認動作が行われる（ステップ３０）。これにより、電力７０１及び７０２が消費される。希望波有無の確認の結果、希望波の存在が確認されないので、スケルチが閉塞され（ステップ３１）、スケルチレベルが、今回のＲＳＳＩレベルより少し大きい値Ｌ２に設定される（ステップ３２）。
【００３１】
次の、信号検出動作（ステップ２４）の時点ｔ２では、スケルチレベルが値Ｌ２に設定されおり、かつＲＳＳＩ値もほぼ変化していないので、希望波有無の確認動作は行われずに、カウンタＣがインクリメントされる（ステップ２６）。その次の信号検出動作の時点ｔ３においても同様に、希望波有無の確認動作は行われず、カウンタＣがインクリメントされる。さらに、その次の信号検出動作の時点ｔ４においては、カウンタＣ＝Ｎとなるので、スケルチレベルをデフォルト値Ｌ１に戻す（ステップ２７）。この後においてもＲＳＳＩ値に変化が無いので、時点ｔ５〜ｔ８における処理は、時点ｔ１〜ｔ４における処理と同じである。時点ｔ９以後においても、ＲＳＳＩ値が上昇しない限り、同じ処理を繰り返すことになる。
【００３２】
同図（ａ）の従来の受信機の場合には、スケルチレベルがすべての期間において一定のレベルであるため、すべての信号検出動作時点ｔ１、ｔ２、・・・、ｔ１１において希望波有無の確認動作が行われる。これに対し、本実施形態においては、信号検出動作時点ｔ１において希望波が存在しないと確認された場合には、スケルチレベルを、ＲＳＳＩ値より少し大きい値Ｌ２まで上げるようにしたため、希望波有無の確認動作が不要であるその次の各信号検出動作時点ｔ２、ｔ３及びｔ４においては、希望波有無の確認動作が省略される。したがって、従来の受信機では信号検出動作時点ｔ２、ｔ３及びｔ４において消費される希望波有無の確認動作のための電力を、本実施形態においては節約することができる。信号検出動作時点ｔ６、ｔ７及びｔ８等においても同様に希望波有無の確認動作のための電力を節約することができる。
【００３３】
また、希望波有無の確認動作の省略が３回連続した時点ｔ４やｔ８においては、スケルチレベルをデフォルト値Ｌ１に戻し、希望波有無の確認動作が行われるようにしているので、ＲＳＳＩ変換利得の温度特性に起因して受信機の信号入力レベルに対するＲＳＳＩレベルの変換利得が小さくなり、所定の入力レベルの希望波が入力されているときでも、スケルチが開かずに希望波が受信できなくなるといった不具合が発生するのを防止することができる。
【００３４】
図５は受信機１の動作のさらに別の例を、従来の受信機の場合と比較して示すタイミングチャートである。同図（ａ）が従来の受信機、同図（ｂ）が受信機１のタイミングチャートである。各チャートは、希望波が存在せず、ノイズフロアのレベルがスケルチレベルよりも小さい状態から大き状態へ遷移する場合の各受信機の動作を示している。ただし、この例において、図２のステップ２５においてカウンタＣと比較されるＮの値は２であるものとする。
【００３５】
図５（ｂ）の例において、図２の処理の開始後、１回目の信号検出動作（ステップ２４）の時点ｔ１では、スケルチレベルが、デフォルト値Ｌ１に設定されはいるが、デフォルト値Ｌ１よりもＲＳＳＩ値の方が大きいので（ステップ２１）、希望波の有無の確認動作が行われることなく、カウンタＣがカウントアップされる（ステップ３０）。次の、信号検出動作（ステップ２４）の時点ｔ２においても同様に、希望波の有無の確認動作が行われることなく、カウンタＣがカウントアップされる（ステップ３０）。次の、信号検出動作（ステップ２４）の時点ｔ３では、ＲＳＳＩ値がスケルチレベルの値Ｌ１以上となっているので、スケルチが開放され（ステップ２８）、希望波の有無の確認動作が行われる（ステップ３０）。希望波有無の確認の結果、希望波の存在が確認されないので、スケルチが閉塞され（ステップ３１）、スケルチレベルが、今回のＲＳＳＩレベルより少し大きい値Ｌ２に設定される（ステップ３２）。
【００３６】
次の信号検出動作の時点ｔ４では、スケルチレベルの値がＬ２であり、ＲＳＳＩレベルに変化がないので、希望波有無の確認動作は行われず、カウンタＣがインクリメントされる（ステップ２６）。次の信号検出動作の時点ｔ５においても同様に、希望波有無の確認動作は行われず、カウンタＣがインクリメントされる。さらにその次の信号検出動作の時点ｔ６においては、カウンタＣ＝Ｎとなるので、スケルチレベルをデフォルト値Ｌ１に戻す（ステップ２７）。これにより、ＲＳＳＩ値はスケルチレベル以上となる。したがって次の信号検出動作時点ｔ７においては、スケルチが開放され（ステップ２８）、カウンタＣが０にクリアされ（ステップ２９）、希望波有無の確認動作が行われる（ステップ３０）。希望波有無の確認の結果、希望波の存在が確認されないので、スケルチが閉塞され（ステップ３１）、スケルチレベルが、今回のＲＳＳＩ値よりも少し大きい値Ｌ２に設定される（ステップ３２）。次の信号検出動作の時点ｔ８及びｔ９においては、ＲＳＳＩ値はスケルチレベルの値Ｌ２以上であるので、希望波有無の確認動作は行われず、カウンタＣがインクリメントされる。次の信号検出動作時点ｔ１０においてはカウンタＣ＝Ｎとなっているので、スケルチレベルはデフォルト値Ｌ１に戻される（ステップ２７）。その後、ＲＳＳＩ値は低下し、次の信号検出動作の時点ｔ１１においては、ＲＳＳＩレベルは、スケルチレベルの値Ｌ１りも小さくなっているので、希望波有無の確認動作は行われない。
【００３７】
図５（ａ）の従来の受信機の場合には、スケルチレベルがすべての期間において一定のレベルであるため、ＲＳＳＩ値がスケルチレベル以上である信号検出動作時点ｔ３〜ｔ１０のすべてにおいて、希望波有無の確認動作が行われる。これに対し、本実施形態においては、信号検出動作時点ｔ３において希望波が存在しないと確認された場合には、スケルチレベルを、ＲＳＳＩレベルより少し大きい値Ｌ２まで上げるようにしたため、希望波有無の確認動作が不要である各信号検出動作時点ｔ４〜ｔ６、ｔ８〜ｔ１０においては、希望波有無の確認動作が省略される。したがってその分、希望波有無の確認動作のための電力を節約することができる。
【００３８】
また、希望波が存在しないと確認された後、希望波有無の確認動作が連続して３回なされなかった時点ｔ６においてはスケルチレベルをデフォルト値Ｌ１に下げるようにしたため、その後にノイズフロアが低下したことによって希望波の検出が不能となる事態を防止することができる。
【００３９】
以上説明したように、本実施形態によれば、希望波有無の確認動作により希望波が存在しないとの判定結果を得たときには、スケルチレベルがその時点でのＲＳＳＩ値よりも所定量だけ大きくなるようにスケルチレベルの設定値を変更し、さらにはその後、希望波が存在しないとの判定結果が連続して所定の回数得られたときにはスケルチレベルの設定値を元の値に戻すようにしたため、手動操作によらずにスケルチレベルを最適な値に設定することができる。すなわち、妨害波の入力や受信機各部の温度特性に起因して行われる無駄な希望波有無の確認動作や受信動作への移行を、手動操作によることなく、減少させることができる。つまり、受信機の周囲の温度を測定することなく、受信機の温度特性を補正することができる。また、周囲温度の変化による受信機のスケルチ開閉への影響を無くすることができる。また、消費電力が大きい希望波有無の確認動作を行う回数が減少するので、電池により動作する場合における電池の消耗を減少させることができる。したがって、電池交換を行うことなく電池で動作させる場合の受信機の総動作可能時間を長時間化することができる。
【００４０】
図６は本発明の別の実施形態に係る受信機の構成を示すブロック図である。同図において、図１中の符号と同一の符号は図１の場合と同様の要素を示す。本実施形態においては図１の実施形態におけるスケルチ回路１０３を廃止し、その機能をＣＰＵ３００により行うようにしている。図中の３０２は、ＲＳＳＩ変換部１０２が出力するアナログのＲＳＳＩ値をデジタル値に変換する低速ＡＤコンバータである。ＣＰＵ３００は、ＡＤコンバータ３０２により得られたＲＳＳＩ値に基づき、スケルチレベルとの比較、スケルチレベルの設定・変更、スケルチの制御等を所定のプログラムに従って行う。他の点については図１の実施形態の場合と同様である。
【００４１】
なお、本発明は上述実施形態に限定されることなく、適宜変形して実施することができる。たとえば、上述においては、希望波有無の確認動作の結果、希望波の存在が確認されなかった場合には、スケルチレベルの値をＲＳＳＩ値より少し上のレベルとなるように設定変更するようにしているが（ステップ３２）、この代わりに、同様の場合には、スケルチレベルの値がＲＳＳＩ値より少し上のレベルとなるように、受信利得を変更するようにしてもよい。
【図面の簡単な説明】
【００４２】
【図１】本発明の一実施形態に係る受信機の構成を示すブロック図である。
【図２】図１の受信機における動作を示すフローチャートである。
【図３】図１の受信機の動作の一例を示すタイミングチャートである。
【図４】図１の受信機の動作の別の例を示すタイミングチャートである。
【図５】図１の受信機の動作のさらに別の例を示すタイミングチャートである。
【図６】本発明の別の実施形態に係る受信機の構成を示すブロック図である。
【図７】従来の受信機の構成を示すブロック図である。
【符号の説明】
【００４３】
１：受信機、２：アンテナ、９：受信機、１００：受信部、１０１：中間周波出力部、１０２：ＲＳＳＩ変換部、１０３：スケルチ回路、２００：復調処理部、３００：ＣＰＵ、３０１：ＤＡコンバータ、４０１〜４０３：ＡＶＲ、３０２：ＡＤコンバータ。
【図１】
2010087674.tif 000003
【図２】
2010087674.tif 000004
【図３】
2010087674.tif 000005
【図４】
2010087674.tif 000006
【図５】
2010087674.tif 000007
【図６】
2010087674.tif 000008
【図７】
2010087674.tif 000009